(57)【要約】【課題】ユーザに対する利便性が良好な情報提供装置を提供する。【解決手段】デジタル放送による配信情報をユーザに対して出力する出力手段８と、配信情報に含まれる、ユーザが関心を示す地点に関するＰＯＩ情報を取得するＰＯＩ情報取得手段３と、ユーザにより入力されるユーザ情報を取得するユーザ情報取得手段４とを備える。また、ユーザ情報とＰＯＩ情報との対比結果が予め定義した所定条件を満たす場合のみ、当該ＰＯＩ情報を出力手段に出力する判定手段５を備える。【選択図】  図１
2009133662.tif 000002
【特許請求の範囲】
【請求項１】
デジタル放送による配信情報をユーザに対して出力する出力手段と、
前記配信情報に含まれる、ユーザが関心を示す地点に関するＰＯＩ情報を取得するＰＯＩ情報取得手段と、
前記ユーザにより入力されるユーザ情報を取得するユーザ情報取得手段と、
前記ユーザ情報と前記ＰＯＩ情報との対比結果が予め定義した所定条件を満たす場合のみ、当該ＰＯＩ情報を前記出力手段に出力する判定手段と、を備えることを特徴とする情報提供装置。
【請求項２】
請求項１に記載の情報提供装置において、
前記ユーザ情報取得手段は、前記ユーザの現在の位置情報、現在設定している目的地の位置情報、現在設定している経由地の位置情報および現在設定している経路の位置情報のうち少なくとも一つの現在位置情報を取得し、
ＰＯＩ情報取得手段は、前記取得したＰＯＩ情報に含まれる地点のＰＯＩ位置情報を取得し、
前記判定手段は、前記ユーザ情報取得手段が取得した前記現在位置情報と前記ＰＯＩ情報取得手段が取得した前記ＰＯＩ位置情報とから両位置間の距離又は所要時間を算出し、当該距離又は所要時間の少なくとも一方が所定値以下である場合のみ、前記ＰＯＩ情報を前記出力手段に出力することを特徴とする情報提供装置。
【請求項３】
請求項１に記載の情報提供装置において、
前記ユーザ情報取得手段は、前記ユーザにより過去に設定された目的地の位置情報、経由地の位置情報および経路の位置情報のうち少なくとも一つの履歴位置情報を取得し、
前記ＰＯＩ情報取得手段は、前記取得したＰＯＩ情報に含まれる地点のＰＯＩ位置情報を取得し、
前記判定手段は、前記ユーザ情報取得手段が取得した前記履歴位置情報と前記ＰＯＩ情報取得手段が取得した前記ＰＯＩ位置情報とから、両位置間の距離又は所要時間を算出し、当該距離又は所要時間の少なくとも一方が所定値以下である場合のみ、前記ＰＯＩ情報を前記出力手段に出力することを特徴とする情報提供装置。
【請求項４】
請求項３に記載の情報提供装置において、
前記ユーザ情報取得手段は、設定頻度が所定値以上の前記履歴位置情報を取得することを特徴とする情報提供装置。
【請求項５】
請求項１に記載の情報提供装置において、
前記ユーザ情報取得手段は、前記ユーザの現在の位置情報、現在設定している目的地の位置情報、現在設定している経由地の位置情報および現在設定している経路の位置情報のうち少なくとも一つの現在位置情報を取得するとともに、前記ユーザにより過去に設定された目的地の位置情報、経由地の位置情報および経路の位置情報のうち少なくとも一つの履歴位置情報を取得し、
前記ＰＯＩ情報取得手段は、前記取得したＰＯＩ情報に含まれる地点のＰＯＩ位置情報を抽出し、
前記判定手段は、
前記ユーザ情報取得手段が取得した前記履歴位置情報と前記ＰＯＩ情報取得手段が取得したＰＯＩ位置情報とから、両位置間の距離又は所要時間を算出し、当該距離又は所要時間の少なくとも一方が所定値を越える場合であっても、
前記ユーザ情報取得手段が取得した前記現在位置情報と前記ＰＯＩ情報取得手段が取得したＰＯＩ位置情報とから、両位置間の距離又は所要時間を算出し、当該距離又は所要時間の少なくとも一方が所定値以下である場合は、前記ＰＯＩ情報を前記出力手段に出力することを特徴とする情報提供装置。
【請求項６】
請求項１に記載の情報提供装置において、
前記ユーザ情報取得手段は、前記ユーザの現在の位置情報、現在設定している目的地の位置情報、現在設定している経由地の位置情報および現在設定している経路の位置情報のうち少なくとも一つの現在位置情報を取得するとともに、前記ユーザにより過去に設定された目的地の位置情報、経由地の位置情報および経路の位置情報のうち少なくとも一つの履歴位置情報を取得し、
前記ＰＯＩ情報取得手段は、前記取得したＰＯＩ情報に含まれる地点のＰＯＩ位置情報を抽出し、
前記判定手段は、
前記ユーザ情報取得手段が取得した前記履歴位置情報と前記ＰＯＩ情報取得手段が取得したＰＯＩ位置情報とから、両位置間の距離又は所要時間を算出し、当該距離又は所要時間の少なくとも一方が所定値以下の場合であっても、
前記ユーザ情報取得手段が取得した前記現在位置情報と前記ＰＯＩ情報取得手段が取得したＰＯＩ位置情報とから、両位置間の距離又は所要時間を算出し、当該距離又は所要時間の少なくとも一方が所定値を越える場合は、前記ＰＯＩ情報を前記出力手段に出力しないことを特徴とする情報提供装置。
【請求項７】
請求項２〜６の何れか一項に記載の情報提供装置において、
前記判定手段は、前記出力手段に出力すると判定したＰＯＩ情報に、前記両位置間の距離及び／又は所要時間を付加して出力することを特徴とする情報提供装置。
【請求項８】
請求項４〜６のいずれか一項に記載の情報提供装置において、
前記判定手段は、前記出力手段に出力する前記ＰＯＩ情報が複数ある場合には、前記履歴位置情報のうち設定頻度が最も多い履歴位置情報についての前記両位置間の距離及び／又は所要時間を、前記ＰＯＩ情報に付加して出力することを特徴とする情報提供装置。
【請求項９】
請求項２〜８の何れか一項に記載の情報提供装置において、
前記出力手段に出力すると判定された前記ＰＯＩ情報を記憶するＰＯＩ情報記憶手段をさらに備え、
前記ＰＯＩ情報記憶手段は、前記判定手段が算出した両位置間の距離及び／又は所要時間を前記ＰＯＩ情報に関連付けて記憶することを特徴とする情報提供装置。
【請求項１０】
請求項１に記載の情報提供装置において、
前記ユーザ情報取得手段は、前記ユーザにより入力された少なくとも一つのユーザ指定属性情報を取得し、
前記ＰＯＩ情報取得手段は、前記取得したＰＯＩ情報に含まれる地点のＰＯＩ属性情報を取得し、
前記判定手段は、前記ＰＯＩ情報取得手段により取得したＰＯＩ属性情報が前記ユーザ情報取得手段により取得したユーザ指定属性情報に一致又は含まれている場合のみ、前記ＰＯＩ情報を前記出力手段に出力することを特徴とする情報提供装置。
【請求項１１】
請求項１に記載の情報提供装置において、
前記ユーザ情報取得手段は、前記出力手段が提示した配信情報に対して前記ユーザが当該配信情報の要否を選択した中から、当該ユーザが必要であると選択したユーザ選択属性情報を取得し、
ＰＯＩ情報取得手段は、前記取得したＰＯＩ情報に含まれる地点のＰＯＩ属性情報を取得し、
前記判定手段は、前記ＰＯＩ情報取得手段により取得したＰＯＩ属性情報が、前記ユーザ情報取得手段により取得したユーザ選択属性情報に含まれている場合のみ、前記ＰＯＩ情報を前記出力手段に出力することを特徴とする情報提供装置。
【請求項１２】
請求項１１に記載の情報提供装置において、
前記ユーザ情報取得手段は、選択頻度が所定値以上のユーザ選択属性情報を取得することを特徴とする情報提供装置。
【請求項１３】
請求項１０〜１２のいずれか一項に記載の情報提供装置において、
前記ユーザ指定属性情報、前記ユーザ選択属性情報及び前記ＰＯＩ属性情報は、前記地点の種類、前記地点において提供されるサービスのジャンル、前記地点の属する地域、前記地点の推薦者名および前記地点に関連するアーティスト名の少なくともいずれかであることを特徴とする情報提供装置。
【請求項１４】
請求項１〜１３の何れか一項に記載の情報提供装置において、
前記出力手段は、前記ＰＯＩ位置情報に基づいて、前記ＰＯＩ情報に係る地点を含む地図情報を取得し、前記ユーザに提示することを特徴とする情報提供装置。
【請求項１５】
請求項１〜１４の何れか一項に記載の情報提供装置において、
前記ＰＯＩ情報は、商品を販売もしくはサービスを提供する店舗に関する情報、娯楽施設もしくはイベント施設に関する情報または観光地に関する情報であることを特徴とする情報提供装置。
【請求項１６】
デジタル放送による配信情報を受信するステップと、
前記配信情報に含まれる、ユーザが関心を示す地点に関するＰＯＩ情報を取得するステップと、
前記ユーザにより入力されるユーザ情報を取得するステップと、
前記ユーザ情報と前記ＰＯＩ情報との対比結果が予め定義した所定条件を満たす場合のみ、前記ＰＯＩ情報をユーザに対して出力するステップと、を備えることを特徴とする情報提供方法。
【発明の詳細な説明】
【技術分野】
【０００１】
本発明は、デジタル放送の配信情報をＰＯＩ（Ｐｏｉｎｔ  ｏｆ  Ｉｎｔｅｒｅｓｔ、関心を示す地点）情報とともに配信する情報提供装置及び情報提供方法に関するものである。
【背景技術】
【０００２】
デジタル放送の配信情報に位置情報及び広告情報を含むコンテンツ情報を埋め込んで送信し、ナビゲーション装置により表示された地図上にコンテンツ情報を表示する広告システムが知られている（特許文献１参照）。
【０００３】
【特許文献１】特開２００５−２４９５６０号公報
【発明の開示】
【発明が解決しようとする課題】
【０００４】
しかしながら、従来の広告システムは、ユーザにとって有用でないコンテンツ情報も一律に表示するため、ユーザにとって利便性が悪いという問題があった。
【０００５】
本願発明が解決しようとする課題は、ユーザに対する利便性が良好な情報提供装置および情報提供方法を提供することである。
【課題を解決するための手段】
【０００６】
本発明は、以下の解決手段によって上記課題を解決する。
【０００７】
すなわち本発明は、デジタル放送による配信情報をユーザに対して出力する出力手段と、配信情報に含まれる、ユーザが関心を示す地点に関するＰＯＩ情報を取得するＰＯＩ情報取得手段と、ユーザにより入力されるユーザ情報を取得するユーザ情報取得手段とを備える。
【０００８】
そして、ユーザ情報とＰＯＩ情報との対比結果が予め定義した所定条件を満たす場合のみ、当該ＰＯＩ情報を出力手段に出力する判定手段を備えることを特徴とする。
【発明の効果】
【０００９】
本発明によれば、ユーザに対する利便性が向上する。
【発明を実施するための最良の形態】
【００１０】
以下、本発明の実施形態を図面に基づいて説明する。
【００１１】
《第１実施形態》
本実施形態に係る情報提供装置は、デジタル放送により配信される音声や画像が、これらと連動してリアルタイムに送られる位置情報付き情報である場合に適用して好ましい情報提供装置である。例えばデジタルラジオ放送において、パーソナリティのお勧め店舗が紹介された場合、この店舗の位置情報はデジタルラジオ放送に埋め込まれて配信されるので、この位置情報を抽出することでユーザに店舗情報を提供するものである。以下の例では、位置付き情報として店舗情報を例に挙げて説明する。なお、このような位置情報付き店舗情報を、ユーザが関心を示す意味からＰＯＩ（Ｐｏｉｎｔ  ｏｆ  Ｉｎｔｅｒｅｓｔ，関心地点）情報と称する。
【００１２】
本実施形態では、車両の現在位置、現在設定されている目的地、現在設定されている経由地、現在設定されている経路といった位置情報（以下、現在位置情報とも言う。）や、過去に設定された目的地、過去に設定された経由地、過去に設定された経路、目的地一覧に設定されている登録地といった位置情報（以下、履歴位置情報とも言う。）を用いて、デジタル放送で取得した店舗情報がユーザにとって有用性があるかどうかを判定する。ここで、ユーザに対する店舗情報などのＰＯＩ情報の有用性とは、そのユーザがその位置に行き易いかどうか、又は行きたいかどうかにより判定される情報の有効利用性を意味する。
【００１３】
そして、デジタル放送で紹介された店舗が、現在位置から近ければその店舗へ行き易いし、過去に訪れたことのある場所から近ければ道順を知っているので行き易い。また、現在目的地として設定されている場所又は過去に目的地として設定された地点であれば、少なくとも関心のある地点と考えられるから、ユーザが行きたいと思っている可能性が高い。したがって、こうした店舗情報はユーザにとって有用性が高い情報と言えるので、これを選別してユーザに提示する。
【００１４】
逆に、デジタル放送で紹介された店舗が、現在位置から遠ければその店舗へ行くのに時間がかかるし、過去に一度も行ったことのない場所付近であれば道順を知らないので迷うおそれもある。また、現在も過去も目的地として設定されていない地点であれば関心がない地点である可能性が高い。したがって、こうした店舗情報はユーザにとって有用性が低い情報といえるので、これをユーザに提示しない。
【００１５】
なお、本例でいう現在位置情報とは、現在位置などのようにユーザにとって顕在化された位置情報であるのに対し、履歴位置情報とは、過去に行ったことのある位置のようにユーザにとって潜在的な位置情報である。何れの情報も、重要度には差はあるものの、ユーザにとってＰＯＩ情報が有用性あるものかどうかを判定する要因となる。
【００１６】
図１は本実施形態に係る情報提供装置を示すブロック図である。
【００１７】
図示する情報提供装置は、デジタル放送受信手段１、デジタル放送デコード手段２、ＰＯＩ情報取得手段３、ユーザ情報取得手段４、判定手段５、ＰＯＩ情報記憶手段６、出力制御手段７、出力手段８および入力手段９を備える。
【００１８】
デジタル情報受信手段１とデジタル放送デコード手段２が本発明の受信手段に相当し、ＰＯＩ情報取得手段３が本発明のＰＯＩ情報取得手段に相当し、ユーザ情報取得手段４が本発明のユーザ情報取得手段に相当し、判定手段５が本発明の判定手段に相当し、ＰＯＩ情報記憶手段６が本発明のＰＯＩ情報取得手段に相当し、出力制御手段７および出力手段８が本発明の出力手段に相当する。
【００１９】
デジタル放送受信手段１は、アンテナ１１とチューナー部１２とを備え、チューナー部１２は、アンテナ１１に到達した各種放送信号の中から、所定の周波数成分の受信対象となる周波数信号のみを抽出し、抽出したデジタル放送信号をデジタル放送デコード手段２へ出力する。
【００２０】
デジタル放送デコード手段２は、データ処理部２１を備え、このデータ処理部２１は、デジタル放送チューナー部１２が抽出したデジタル放送信号に所定のデジタル復調処理を行い、音声信号とＢＭＬ（Broadcast Markup Language）などで記述されたデータ信号とに分離する。また、データ処理部２１は、分離されたデータ信号を解析し、データ放送画面を作成するとともに、ＰＯＩ情報を抽出する。そして、データ処理部２１で分離された音声信号は、出力制御手段７の音声出力制御部７１を介して出力手段８のスピーカ８１へ出力される一方で、データ処理部２１で作成された画像・文字データは、出力制御手段７の画像・文字出力制御部７２を介して出力手段８のディスプレイ８２に出力される。このとき、画像・文字データには、ＰＯＩ情報や地図情報が付加される。この部分の詳細は後述する。
【００２１】
ＰＯＩ情報取得手段３は、位置情報抽出部３１を備え、この位置情報抽出部３１は、データ処理部２１で抽出されたＰＯＩ情報を取得して、判定手段５へ出力する。図９は、デジタル放送の配信情報に含まれるＰＯＩ情報の一例を示すデータ構造図である。本例では、ＰＯＩ情報として、ある店舗の名称、住所、位置（経度・緯度）、電話番号および店舗のジャンル（たとえばラーメン屋など）といった情報を含み、このうち位置（経度・緯度）がＰＯＩ情報の位置情報である。
【００２２】
入力手段９は、ナビゲーション装置９１を備え、このナビゲーション装置９１は、現在位置を検出するＧＰＳ情報入力機能と、現在位置の表示、目的地の入力設定、ルート検索、ルート案内などのナビゲーション機能を備える。
【００２３】
ナビゲーション装置９１から出力される位置情報には、現在の位置情報、現在設定している目的地の位置情報、現在設定している経由地の位置情報および現在設定している経路の位置情報と、過去に設定された目的地の位置情報、経由地の位置情報および経路の位置情報とがあり、記述したとおり、前者を総称して「現在位置情報」といい、後者を総称して「履歴位置情報」ともいう。なお、本例では入力手段９としてナビゲーション装置９１の機能を利用しているが、ナビゲーション装置９１とは別設の入力装置を用いることもできる。
【００２４】
ユーザ情報取得手段４は、ナビゲーション装置９１から上述した現在位置情報を取得する現在位置情報取得部４１と、同じくナビゲーション装置９１から履歴位置情報を取得する履歴位置情報取得部４２と、履歴位置情報取得部４２にて取得された履歴位置情報を蓄積する履歴位置情報蓄積部４３と、履歴位置情報蓄積部４３に蓄積された履歴位置情報からユーザにとって有用性のある履歴かどうかを判定して有用履歴位置情報を抽出する有用履歴抽出部４４とを備える。
【００２５】
図２は、履歴位置情報蓄積部４３に記憶された履歴位置情報のデータ構造を示す図であり、ナビゲーション装置９１の目的地として過去に設定されたことがある目的地の名称、その位置（経度および緯度）および設定回数が関連付けて記憶されている。なお、同図には、目的地の名称、地点情報および設定回数みの履歴を記載しているが、経由地についても、どこからどこまで、どのルートを通った、という情報が利用回数を含め蓄積されている。
【００２６】
図３は、履歴位置情報蓄積部４３による履歴位置の蓄積処理を示すフローチャートである。
【００２７】
この履歴位置情報の蓄積処理は、ユーザがナビゲーション装置９１に目的地・経由地を入力したり、ナビゲーション装置９１が入力結果に基づいて経路を演算したりした場合に実行される。ここではユーザが目的地の設定を行った場合を例に挙げて説明する。
【００２８】
まず、ステップＳ３１にて、ユーザがナビゲーション装置９１に目的地を入力したことを判断するとステップＳ３２へ進み、入力された目的地が過去に登録されたものか、すなわち当該履歴位置情報蓄積部４３に既に登録されているか否かを判断する。過去に登録されたものであれば、ステップＳ３３へ進んで該当する設定回数をプラスし、登録されていなければステップＳ３４へ進んで新たな設定履歴として登録する。たとえば、図２に示す履歴状態において、ユーザが自宅を目的地として設定すると、同図に示す設定履歴の自宅設定回数が５２回から５３回に更新される。なお、ここでは目的地を設定した場合について説明したが、経由地や経路についても同様の処理が行われる。
【００２９】
有用履歴抽出部４４は、履歴位置情報蓄積部４３に記憶された履歴位置情報から、ＰＯＩ情報を提供することがユーザにとって有用かどうかの判定に利用できる履歴位置情報を決定するものである。この履歴位置情報を有用履歴位置情報と称する。
【００３０】
たとえば、所定期間内に所定回数以上訪れた場所や利用した経路があれば判定に利用できる履歴として決定する。これにより、蓄積された多数の履歴位置情報の中から、ユーザが遠い昔に行った場所や数度しか訪れてない場所などユーザの認知度が低い場所を除くことができる。また、ユーザが積極的に希望する位置情報を入力しなくても、自動的に有用性の高い位置情報を決定することができる。
【００３１】
図４は、有用履歴抽出部４４による有用履歴位置情報の抽出処理を示すフローチャートである。まず、ステップＳ４１にて、履歴位置情報蓄積部４３に蓄積された履歴位置情報（過去に設定された目的地・経由地・経路の位置情報）を参照し、ステップＳ４２にて、この中から所定期間内に所定回数以上の設定履歴がある履歴位置情報を取得し、ステップＳ４３にて、該当する履歴位置情報を後述する有効性判定に用いることができる有用履歴位置情報と決定する。なお、ステップＳ４２において該当する履歴位置情報がない場合にはステップＳ４３をジャンプし、有用履歴位置情報がないものとする。
【００３２】
判定手段５は、ＰＯＩ情報取得手段３で受信したＰＯＩ情報がユーザにとって有用性があるかどうかをユーザ情報取得手段４で取得したユーザ情報と対比して判定するもので、位置対比部５１と、判定部５２と、判定結果送出部５３とを備える。
【００３３】
位置対比部５１は、ＰＯＩ情報取得手段３の位置情報抽出部３１で抽出された店舗の位置と、ユーザ情報取得手段４の現在位置情報取得部４１に記憶されている現在位置および有用履歴抽出部４４で抽出された有用履歴位置との距離（直線もしくはルート上の距離）を算出する機能と、これらの間の所要時間を算出する機能とを備える。
【００３４】
判定部５２は、位置対比部５１で対比された距離および所要時間がそれぞれ予め決められた所定値以内であるかどうかを判定し、所定値以内である場合には判定結果送出部５３へそのＰＯＩ情報が有用である旨を出力する。
【００３５】
判定結果送出部５３は、判定部５２からの有用であるとされたＰＯＩ情報について、ユーザに提示する情報の作成およびその処理を実行する。たとえば、現在位置情報と店舗位置との距離又は所要時間のいずれかが所定値以内である場合には、図５に示すように、店舗名と現在位置からの距離や所要時間をディスプレイ８２に表示するためのデータ作成を実行する。また、履歴位置情報と店舗位置との距離又は所要時間のいずれかが所定値以内である場合には、図６に示すように、店舗名と過去の目的地履歴の場所からの距離や所要時間をディスプレイ８２に表示するためのデータ作成を実行する。
【００３６】
図５は、現在位置情報により、受信した店舗位置の有用性があると判定された場合に判定結果送出部５３およびＰＯＩ情報編集部７２１が作成する画面の一例である。また、図６は、履歴位置情報により、受信した店舗位置の有用性があると判定された場合に判定結果送出部５３およびＰＯＩ情報編集部７２１が作成する画面の一例である。
【００３７】
判定結果送出部５３およびＰＯＩ情報編集部７２１は、図５および図６に示すように、表示したＰＯＩ情報の位置情報を登録するための「登録する」といった入力メニューと、周辺地図を表示する「周辺地図を表示」といった入力メニューと、店舗の詳細情報を表示する「詳細情報を表示」といった入力メニューなどの選択肢も合わせて作成し、ディスプレイ８２に表示する。これらの選択肢の入力メニューがユーザにより選択されると、その旨が出力制御手段７に出力され、ディスプレイ８２に店舗の周辺地図や店舗の詳細情報が表示され、また、「登録する」の入力メニューが選択されると、ＰＯＩ情報がＰＯＩ情報記憶手段６に記憶されることになる。
【００３８】
なお図示する例では、店舗名、該当する現在位置情報又は履歴位置情報からの距離・所要時間のほか、登録する、周辺地図を表示、詳細情報を表示といった選択肢が表示されるが、これ以外にもたとえば、店舗の外観などの画像があれば、その画像を表示することもできるし、周辺地図表示の選択肢に代えて直接周辺地図を表示することもできる。
【００３９】
ＰＯＩ情報記憶手段６は、図５や図６に示す表示画面において、ユーザに提示された店舗の登録要求がされた場合に、この店舗情報を記憶する記憶媒体である。ＰＯＩ情報記憶手段６には、その店舗情報およびその店舗の位置情報と、現在位置情報又は履歴位置情報と当該店舗との距離又は所要時間とが記憶される。
【００４０】
図７は、ＰＯＩ情報記憶手段６に記憶されている店舗情報のデータ構造例を示す図である。本例では、ＰＯＩ情報記憶手段６に記憶される店舗情報として、名称、住所、緯度経度、電話番号、ジャンルの他、判定手段５で利用した情報である現在位置情報や履歴位置情報、判定手段５で利用した位置情報からの距離や所要時間が記載される。なお、ＰＯＩ情報記憶手段６に記憶する情報は、これ以外にも、たとえば受信した店舗情報に、その店舗の外観や内観などの画像情報や、お勧めメニューやユーザへの告知といったテキスト情報など、より詳細な情報を記憶させることもできる。
【００４１】
ＰＯＩ情報記憶手段６に、店舗情報だけでなく現在位置情報又は履歴位置情報との距離又は所要時間を記憶させておくことにより、ユーザが登録した店舗を後日確認する際に、その店舗の位置が把握できなくとも、自分が知っている場所からの距離や所要時間がわかるので、大まかな位置を把握することができる。
【００４２】
出力手段７は、デジタル放送デコード手段２から送られてきた音声データを出力手段８のスピーカ８１により出力させるための制御を実行する音声出力制御部７１と、デジタル放送デコード手段２から送られてきた画像・文字データを出力手段８のディスプレイ８２により出力させるための制御を実行する画像・文字出力制御部７２とを備える。
【００４３】
画像・文字出力制御部７２は、ＰＯＩ情報取得手段３で取得され、判定手段５で選別されたＰＯＩ情報を編集するＰＯＩ情報編集部７２１と、ナビゲーション装置９１から地図情報を取得する地図情報取得部７２２とを備える。そして、ＰＯＩ情報編集部７２１は、判定手段５の判定結果送出部５３から送られてきた結果に基づいて、ＰＯＩ情報に距離又は所要時間と入力メニューの選択肢を付加するとともに、これらを地図情報に重畳させる画像処理を実行し、ディスプレイ８２へ出力する。
【００４４】
次に、本実施形態に係る情報提供装置の動作フローを説明する。
【００４５】
図８は、本実施形態に係る情報提供装置の情報処理手順を示すフローチャートである。
【００４６】
ステップＳ８０１にて、デジタル放送受信手段１のアンテナ１１とデジタル放送チューナー部１２がデジタル放送信号を受信し、ユーザが指定した所定の周波数成分のみを抽出すると、ステップＳ８０２にて、デジタル放送デコード手段２のデータ処理部２１は放送のデコードを開始する。
【００４７】
データ処理部２１においてデコードされると、放送信号は音声データと画像・文字データとに分離され、音声データは出力制御手段７の音声出力制御部７１を介してスピーカ８１から出力される。
【００４８】
一方、画像・文字データは、ステップＳ８０３において、データ内に図９に示すようなＰＯＩ情報があるか否かを判断し、ＰＯＩ情報がなければ通常のＢＭＬデータとして処理されたのち、ステップＳ８０４へ進み、出力手段７の画像・文字出力制御部７２を介してディスプレイ８２にデジタル放送の画像や文字が表示される。
【００４９】
画像・文字データ内に図９に示すようなＰＯＩ情報が存在するときは、ステップＳ８０５へ進み、ＰＯＩ情報取得手段３の位置情報抽出部３１はＰＯＩ情報に含まれる位置情報を抽出し、これを判定手段５の位置対比部５１へ出力する。なお、ＰＯＩ情報そのものは判定手段５の判定部５２の結果が出るまでＰＯＩ情報取得手段３で一時的に保持する。
【００５０】
次のステップＳ８０６では、位置対比部５１は、現在位置情報についての有用性の判定を行うために、ユーザ情報取得手段４の現在位置情報取得部４１で取得された現在位置情報、すなわち現在の位置情報、現在設定されている目的地の位置情報、現在設定されている経由地の位置情報および現在設定されている経路の位置情報を読み出す。
【００５１】
そして、ステップＳ８０７にて、ステップＳ８０５で抽出したＰＯＩ情報の位置情報と、ステップＳ８０６で抽出した現在位置情報とから、両位置間の距離（直線又は経路上）と所要時間を算出する。
【００５２】
ステップＳ８０８では、ステップＳ８０７で算出された両位置間の距離が所定距離以内にあるかどうかと、両位置間の所要時間が所定時間内にあるかどうかを判定し、何れか一方が所定値以内にある場合は、そのＰＯＩ情報はユーザにとって有用性があるとみなし、ステップＳ８０９へ進んで、そのＰＯＩ情報を出力制御手段７のＰＯＩ情報編集部７２１を介してディスプレイ８２に表示したのち処理を終了する。この表示画面の例を図５に示すが、店舗の位置を地図に重畳して表示するとともに、現在位置から店舗までの距離や所要時間も表示する。
【００５３】
なお、現在の位置以外の現在位置情報、すなわち現在設定されている目的地、経由地、経路についてもＰＯＩ情報の位置情報と対比し、両位置間の距離および所要時間を算出して有用性を判定し、有用であると判定した場合はディスプレイ８２にＰＯＩ情報を表示する。また、上述したように、「登録する」などの入力メニューも合わせて表示し、ユーザが選択したら各項目における処理を実行する。
【００５４】
また、本例では判定結果送出部５３およびＰＯＩ情報編集部７２１がＰＯＩ情報の提供画面を作成する場合について説明したが、提供画面を提示せずにＰＯＩ情報記憶手段６に記憶することもできる。
【００５５】
このように、現在位置情報の処理を、後述する履歴位置情報に対して優先することで、ユーザにとって現在有用なＰＯＩ情報を提供することができるとともに、本実施形態に係る情報提供装置の処理時間を短縮することができる。
【００５６】
すなわち、本実施形態では、ステップＳ８０６〜Ｓ８０９において現在位置情報に基づいてＰＯＩ情報の有用性を最初に判定し、ここで有用性があると判定された場合には、ステップＳ８１０〜Ｓ８１６で実行する履歴位置情報に基づく有用性判定を行うことなく、そのＰＯＩ情報を提示するので、履歴位置情報に基づく有用性判定の結果が有用性なしであっても、現在位置情報に基づく有用性判定が有用性ありである限り、そのＰＯＩ情報はユーザに提示される。逆に、履歴位置情報に基づく有用性判定の結果が有用性ありであっても、現在位置情報に基づく有用性判定が有用性なしである限り、そのＰＯＩ情報はユーザに提示されない。
【００５７】
ステップＳ８０８に戻り、ＰＯＩ情報取得手段３の位置情報抽出部３１で抽出したＰＯＩ情報の位置情報が、現在位置情報（現在の位置情報、現在設定されている目的地の位置情報、現在設定されている経由地の位置情報、現在設定されている経路の位置情報）から所定距離を越える位置であり、かつ、所定の所要時間を越える場合は、ステップＳ８１０へ進み、有用履歴位置情報との対比を実行する。
【００５８】
すなわち、ステップＳ８１０〜Ｓ８１１では、位置対比部５１は、有用履歴抽出部４４で抽出された有用履歴位置情報を読み出し、有用履歴位置情報が複数存在するか否かを判断する。有用履歴位置情報が一つである場合はステップＳ８１２にてその有用履歴位置情報を特定するが、複数存在する場合はステップＳ８１３へ進み、最も設定回数が多い履歴位置情報を抽出する。
【００５９】
有用履歴位置情報を１つに絞り込んだら、ステップＳ８１４へ進み、絞り込まれた履歴位置情報と、ＰＯＩ情報の位置情報とから、両位置間の距離および所要時間を、ステップＳ８０７と同様に算出する。
【００６０】
ステップＳ８１５では、ステップＳ８１４で算出された両位置間の距離が所定距離以内にあるかどうかと、両位置間の所要時間が所定時間内にあるかどうかを判定し、何れか一方が所定値以内にある場合は、そのＰＯＩ情報はユーザにとって有用性があるとみなし、ステップＳ８１６へ進んで、そのＰＯＩ情報を出力制御手段７のＰＯＩ情報編集部７２１を介してディスプレイ８２に表示したのち処理を終了する。この表示画面の例を図６に示すが、店舗の位置を地図に重畳して表示するとともに、履歴位置から店舗までの距離や所要時間も表示する。
【００６１】
なお、本例では有用履歴位置情報として過去に設定したことがある目的地の位置情報を用いたが、その他の履歴位置情報、すなわち過去に設定されたことがある経由地や経路についてもＰＯＩ情報の位置情報と対比し、両位置間の距離および所要時間を算出して有用性を判定し、有用であると判定した場合はディスプレイ８２にＰＯＩ情報を表示することもできる。また、上述したように、「登録する」などの入力メニューも合わせて表示し、ユーザが選択したら各項目における処理を実行する。
【００６２】
また、本例では判定結果送出部５３およびＰＯＩ情報編集部７２１がＰＯＩ情報の提供画面を作成する場合について説明したが、提供画面を提示せずにＰＯＩ情報記憶手段６に記憶することもできる。
【００６３】
なお、ステップＳ８１５において、そのＰＯＩ情報が履歴位置情報に対しても有用性がないと判定された場合にはステップＳ８１６をジャンプして処理を終了し、ＰＯＩ情報の提示は行わない。
【００６４】
以上、本実施形態の情報提供装置および情報提供方法によれば、現在位置情報又は履歴位置情報に基づいてＰＯＩ情報の有用性を判定し、有用性がある場合のみディスプレイなどに出力する。したがって、ユーザにとって必要とされるＰＯＩ情報のみが自動的に配信され、ユーザにとっての利便性が向上する。
【００６５】
また、現在位置情報による有用性判定を履歴位置情報による有用性判定に対して優先して実行するので、ユーザにとって現在有用なＰＯＩ情報を選別して提供することができる。
【００６６】
また、履歴位置情報により有用性を判定するに際し、有用履歴位置情報を用いるので、数度しか行ったことがない場所や遠い昔に行った場所など、現在のユーザにとってさほど有用でない場所を除外することができる。
【００６７】
また、有用性があると判定されたＰＯＩ情報をディスプレイ８２に表示する際に、その位置までの距離や所要時間を併せて表示することで、距離感が把握できユーザに対する利便性がより向上する。
【００６８】
また、有用であると判定されたＰＯＩ情報を位置情報とともにＰＯＩ情報記憶手段６に記憶させておくことで、後日、ユーザが登録した情報を見直した際に、登録情報がどの辺に位置するかを容易に把握することができる。
【００６９】
なお、本実施形態は以下のように変形することができる。すなわち、図８に示す処理の実施形態において、ステップＳ８１０〜Ｓ８１６を省略し、現在位置情報のみによってＰＯＩ情報の有用性を判定することができる。また逆に、ステップＳ８０６〜Ｓ８０９を省略し、履歴位置情報のみによってＰＯＩ情報の有用性を判定することもできる。
【００７０】
さらに、履歴位置情報に基づいてＰＯＩ情報の有用性を判定する際に、有用履歴位置情報に代えて全ての履歴位置情報を用いてＰＯＩ情報の有用性を判定することもできる。また、履歴位置情報が複数存在する場合の絞り方は、最も設定回数が多いもの以外にも、たとえば現在位置から最も距離又は所要時間が短いものに絞り込むこともできる。
【００７１】
また、有用性があると判定された複数のＰＯＩ情報を、有用性が高い順に序列化し、ディスプレイ８２に表示したり、ＰＯＩ情報記憶部６に格納したりすることもできる。
【００７２】
《第２実施形態》
上述した第１実施形態では、距離又は所要時間に基づいてＰＯＩ情報の有用性を判定したが、距離又は所要時間以外にもＰＯＩ情報の有用性を判定することができる。
【００７３】
本実施形態では、ユーザがナビゲーション装置や別設の入力装置に設定した目的地のジャンル・地域・施設など、ユーザが関心をもって指定した属性情報又は情報の要否を選択した属性情報の履歴を用い、ＰＯＩ情報がユーザにとって有用かどうかを判断する。
【００７４】
こうすることで、距離又は所要時間による有用性判定とは異なる観点から、すなわち近いから「行き易い」といった距離的・時間的な観点からではなく、「行きたい」場所であるかといった欲求的な観点から、有用な情報のみをユーザに提供することができる。
【００７５】
図１０は、本実施形態に係る情報提供装置を示すブロック図である。
【００７６】
図示する情報提供装置は、デジタル放送受信手段１、デジタル放送デコード手段２、ＰＯＩ情報取得手段３、ユーザ情報取得手段４、判定手段５、ＰＯＩ情報記憶手段６、出力制御手段７、出力手段８および入力手段９を備える。
【００７７】
デジタル情報受信手段１とデジタル放送デコード手段２が本発明の受信手段に相当し、ＰＯＩ情報取得手段３が本発明のＰＯＩ情報取得手段に相当し、ユーザ情報取得手段４が本発明のユーザ情報取得手段に相当し、判定手段５が本発明の判定手段に相当し、ＰＯＩ情報記憶手段６が本発明のＰＯＩ情報取得手段に相当し、出力制御手段７および出力手段８が本発明の出力手段に相当する。
【００７８】
デジタル放送受信手段１は、アンテナ１１とチューナー部１２とを備え、チューナー部１２は、アンテナ１１に到達した各種放送信号の中から、所定の周波数成分の受信対象となる周波数信号のみを抽出し、抽出したデジタル放送信号をデジタル放送デコード手段２へ出力する。
【００７９】
デジタル放送デコード手段２は、データ処理部２１を備え、このデータ処理部２１は、デジタル放送チューナー部１２が抽出したデジタル放送信号に所定のデジタル復調処理を行い、音声信号とＢＭＬ（Broadcast Markup Language）などで記述されたデータ信号とに分離する。また、データ処理部２１は、分離されたデータ信号を解析し、データ放送画面を作成するとともに、ＰＯＩ情報を抽出する。
【００８０】
そして、データ処理部２１で分離された音声信号は、出力制御手段７の音声出力制御部７１を介して出力手段８のスピーカ８１へ出力される一方で、データ処理部２１で作成された画像・文字データは、出力制御手段７の画像・文字出力制御部７２を介して出力手段８のディスプレイ８２に出力される。このとき、画像・文字データには、ＰＯＩ情報や地図情報が付加される。この部分の詳細は後述する。
【００８１】
ＰＯＩ情報取得手段３は、属性情報抽出部３２を備え、この属性情報抽出部３２は、データ処理部２１で抽出されたＰＯＩ情報に含まれる属性情報を取得して、判定手段５へ出力する。本例のＰＯＩ情報も、上述した第１実施形態と同様、図９に示すように、ある店舗の名称、住所、位置（経度・緯度）、電話番号および店舗のジャンル（たとえばラーメン屋など）といった情報を含んでいる。このうちのジャンルや住所が属性情報抽出部３２で抽出されるＰＯＩ情報の属性に該当する。
【００８２】
入力手段９は、ナビゲーション装置９１を備え、このナビゲーション装置９１は、現在位置を検出するＧＰＳ情報入力機能と、現在位置の表示、目的地の入力設定、ルート検索、ルート案内などのナビゲーション機能（入力機能を含む）を備える。なお、本例では入力手段９としてナビゲーション装置９１の入力機能を利用しているが、ナビゲーション装置９１とは別設の入力装置を用いることもできる。また、出力手段８のディスプレイ８２に入力機能を付加し、これを入力手段９とすることもできる。
【００８３】
ユーザ情報取得手段４は、ナビゲーション装置９１の入力機能部から属性情報を取得する指定属性情報取得部４５と、要否選択取得部４６と、要否選択取得部４６にて取得された選択属性情報を蓄積する選択属性情報蓄積部４７と、選択属性情報蓄積部４７に蓄積された選択属性情報からユーザにとって有用性のある属性情報かどうかを判定して抽出する有用履歴抽出部４８とを備える。
【００８４】
図１１（Ａ）及び図１１（Ｂ）は、ナビゲーション装置９１の入力機能部（ディスプレイ）などに表示されて、ユーザが目的地などを設定する際に表示される入力画面の一例を示す図であり、図１１（Ａ）はジャンル属性の入力画面、図１１（Ｂ）は地域属性の入力画面をそれぞれ示す。たとえば、ユーザがナビゲーション装置９１の検索画面で、図１１（Ａ）に示すように「ラーメン」というジャンル属性を指定するとともに、図１１（Ｂ）に示すように「横浜市青葉区」という地域属性を指定し、横浜市青葉区にあるラーメン店を目的地として設定した場合、この「ラーメン」という属性と「横浜市青葉区」という属性が、ユーザ情報取得手段４の指定属性情報取得部４５にて取得される属性情報となる。このように、現在設定されている属性情報を特にユーザ指定属性情報と称する。
【００８５】
なお、図１２は本実施形態における属性情報のうち、ジャンル属性情報の内容と地域属性情報の内容の一例を示す図である。その他の属性情報として、遊園地や映画館などの娯楽施設情報、お城や石碑などの歴史情報、コンサートやサイン会などのイベント情報、さらにはイベントの具体的なアーティスト名などを含めることができる。また、地域情報については市町村といった分類に限定されるものではなく、県域や特定エリアなど大きく区切ることもでき、逆にある場所から何キロメートル以内という限定した区切り方とすることもできる。また、番組名やパーソナリティ名などのように誰のお勧めが欲しいかといった属性情報を含めることもできる。
【００８６】
こうした属性情報は、ユーザの関心度を示す情報として潜在的なものであるが、デジタル放送で配信されるＰＯＩ情報に含まれる属性情報と何らかのかたちでマッチングが可能な属性であれば、これらを含めることができる。
【００８７】
要否選択取得部４６は、特にディスプレイ８２に表示されたＰＯＩ情報に対し、ユーザがその情報を必要としたか否かを取得するものであり、要否の結果は選択属性情報蓄積部４７に出力される。つまり、ユーザ指定属性情報とは別に、一度ユーザに提示されたＰＯＩ情報についてユーザによる情報の有用性をフィードバックするものである。具体的には、図１４に示すＰＯＩ情報の提示画面において、左下に設けられた「この情報は必要」という入力メニューを選択すると、そのＰＯＩ情報に関連する属性情報は、ユーザ選択属性情報として要否選択取得部４６にて取得される。
【００８８】
選択属性情報蓄積部４７は、要否選択取得部４６で取得されたＰＯＩ情報の要否結果に基づいて、属性ごとの要否をカウントして記憶するものである。図１３は、選択属性情報蓄積部４７におけるデータ構造を示す図であり、同図にはジャンルと地域それぞれの属性について蓄積結果（必要とされた設定回数）を示す。
【００８９】
有用履歴抽出部４８は、選択属性情報蓄積部４７に記憶されたユーザ選択属性情報から、ＰＯＩ情報を提供することがユーザにとって有用かどうかの判定に利用できるユーザ選択属性情報を決定するものである。たとえば、所定期間内に所定回数以上訪れたジャンルや地域があれば判定に利用できる選択属性情報として決定する。このようにして決定されたユーザ選択属性情報を有用選択属性情報と称する。
【００９０】
このように、蓄積された多数のユーザ選択属性情報の中から、ユーザが遠い昔に行った地域や数度しか訪れてないジャンルなどユーザの関心度が低い属性を除くことができる。また、ユーザが積極的に希望する指定属性情報を入力しなくても、自動的に有用性の高い属性情報を決定することができる。
【００９１】
判定手段５は、ＰＯＩ情報取得手段３で受信したＰＯＩ情報がユーザにとって有用性があるかどうかをユーザ情報取得手段４で取得したユーザ情報と対比して判定するもので、属性対比部５４と、判定部５５と、判定結果送出部５６とを備える。
【００９２】
属性対比部５４は、ＰＯＩ情報取得手段３の属性情報抽出部３２で抽出された店舗の属性と、ユーザ情報取得手段４の属性情報取得部４５に記憶されているユーザ指定属性情報および有用履歴抽出部４８で抽出された有用選択属性情報とを対比する機能を備える。
【００９３】
判定部５５は、属性対比部５１で対比した結果、これらが一致または店舗の属性情報がユーザの属性情報に含まれているかどうかを判定し、一致又は店舗の属性情報がユーザの属性情報に含まれている場合には判定結果送出部５６へそのＰＯＩ情報が有用である旨を出力する。
【００９４】
判定結果送出部５６は、判定部５５からの有用であるとされたＰＯＩ情報について、ユーザに提示する情報の作成およびその処理を実行する。たとえば、店舗の属性情報とユーザの属性情報とが一致又は店舗の属性情報がユーザの属性情報に含まれている場合には、図１４に示すように、店舗名をディスプレイ８２に表示するためのデータ作成を実行する。
【００９５】
図１４は、属性情報により、受信した店舗位置の有用性があると判定された場合に判定結果送出部５６およびＰＯＩ情報編集部７２１が作成する画面の一例である。
【００９６】
判定結果送出部５６およびＰＯＩ情報編集部７２１は、図１４に示すように、表示したＰＯＩの位置情報を登録するための「登録する」といった入力メニューと、周辺地図を表示する「周辺地図を表示」といった入力メニューと、店舗の詳細情報を表示する「詳細情報を表示」といった入力メニューと、提示された店舗の情報が必要か否かを入力する「この情報が必要」といった入力メニューなどの選択肢も合わせて作成し、ディスプレイ８２に表示する。
【００９７】
これらの選択肢の入力メニューがユーザにより選択されると、その旨が出力制御手段７に出力され、ディスプレイ８２に店舗の周辺地図や店舗の詳細情報が表示され、また、「登録する」の入力メニューが選択されると、ＰＯＩ情報がＰＯＩ情報記憶手段６に記憶されることになる。さらに、既述したとおり、この情報は必要である入力メニューをＯＮすると、その旨がユーザ情報取得手段４の要否選択取得部４６に送出される。
【００９８】
なお図示する例では、店舗名のほか、登録する、周辺地図を表示、詳細情報を表示、この情報は必要といった選択肢が表示されるが、これ以外にもたとえば、店舗の外観などの画像があれば、その画像を表示することもできるし、周辺地図表示の選択肢に代えて直接周辺地図を表示することもできる。
【００９９】
ＰＯＩ情報記憶手段６は、図１４に示す表示画面において、ユーザに提示された店舗の登録要求がされた場合に、この店舗情報を記憶する記憶媒体である。ＰＯＩ情報記憶手段６には、その店舗情報およびその店舗の位置情報とジャンルとが記憶される。
【０１００】
図１５は、ＰＯＩ情報記憶手段６に記憶されている店舗情報の例を示す図である。本例では、ＰＯＩ情報記憶手段６に記憶される店舗情報として、名称、住所、緯度経度、電話番号、ジャンルの詳細が記載される。なお、ＰＯＩ情報記憶手段６に記憶する情報は、これ以外にも、たとえば受信した店舗情報に、その店舗の外観や内観などの画像情報や、お勧めメニューやユーザへの告知といったテキスト情報など、より詳細な情報を記憶させることもできる。
【０１０１】
出力手段７は、デジタル放送デコード手段２から送られてきた音声データを出力手段８のスピーカ８１により出力させるための制御を実行する音声出力制御部７１と、デジタル放送デコード手段２から送られてきた画像・文字データを出力手段８のディスプレイ８２により出力させるための制御を実行する画像・文字出力制御部７２とを備える。
【０１０２】
画像・文字出力制御部７２は、ＰＯＩ情報取得手段３で取得され、判定手段５で選別されたＰＯＩ情報を編集するＰＯＩ情報編集部７２１と、ナビゲーション装置９１から地図情報を取得する地図情報取得部７２２とを備える。そして、ＰＯＩ情報編集部７２１は、判定手段５の判定結果送出部５６から送られてきた結果に基づいて、ＰＯＩ情報に入力メニューの選択肢を付加するとともに、これらを地図情報に重畳させる画像処理を実行し、ディスプレイ８２へ出力する。
【０１０３】
次に、本実施形態に係る情報提供装置の動作フローを説明する。
【０１０４】
図１６は、本実施形態に係る情報提供装置の情報処理手順を示すフローチャートである。
【０１０５】
ステップＳ１６０１にて、デジタル放送受信手段１のアンテナ１１とデジタル放送チューナー部１２がデジタル放送信号を受信し、ユーザが指定した所定の周波数成分のみを抽出すると、ステップＳ１６０２にて、デジタル放送デコード手段２のデータ処理部２１は放送のデコードを開始する。
【０１０６】
データ処理部２１においてデコードされると、放送信号は音声データと画像・文字データとに分離され、音声データは出力制御手段７の音声出力制御部７１を介してスピーカ８１から出力される。
【０１０７】
一方、画像・文字データは、ステップＳ１６０３において、データ内に図９に示すようなＰＯＩ情報があるか否かを判断し、ＰＯＩ情報がなければ通常のＢＭＬデータとして処理されたのち、ステップＳ１６０４へ進み、出力手段７の画像・文字出力制御部７２を介してディスプレイ８２にデジタル放送の画像や文字が表示される。
【０１０８】
画像・文字データ内に図９に示すようなＰＯＩ情報が存在するときは、ステップＳ１６０５へ進み、ＰＯＩ情報取得手段３の属性情報抽出部３２はＰＯＩ情報に含まれる属性情報を抽出し、これを判定手段５の属性対比部５４へ出力する。なお、ＰＯＩ情報そのものは判定手段５の判定部５５の結果が出るまでＰＯＩ情報取得手段３で一時的に保持する。
【０１０９】
次のステップＳ１６０６では、属性対比部５４は、属性情報についての有用性の判定を行うために、ユーザ情報取得手段４の指定属性情報取得部４５で取得された現在のユーザ指定属性情報を読み出す。
【０１１０】
そして、ステップＳ１６０７にて、ステップＳ１６０５で抽出したＰＯＩ情報の属性情報と、ステップＳ１６０６で抽出した現在のユーザ指定属性情報とを対比する。
【０１１１】
ステップＳ１６０８では、ステップＳ１６０７で対比されたＰＯＩ情報の属性情報が現在のユーザ指定属性情報と一致又は含んでいるかどうかを判定し、含んでいる場合は、そのＰＯＩ情報はユーザにとって有用性があるとみなし、ステップＳ１６０９へ進んで、そのＰＯＩ情報を出力制御手段７のＰＯＩ情報編集部７２１を介してディスプレイ８２に表示する。この表示画面の例を図１４に示すが、店舗の位置を地図に重畳して表示する。また、同図に示すように、「登録する」や「この情報は必要」などの入力メニューも合わせて表示し、ユーザが選択したら各項目における処理を実行する。
【０１１２】
なお、本例では判定結果送出部５６およびＰＯＩ情報編集部７２１がＰＯＩ情報の提供画面を作成する場合について説明したが、提供画面を提示せずにＰＯＩ情報記憶手段６に記憶することもできる。
【０１１３】
このように、現在ユーザによって設定されているユーザ指定属性情報に基づく判定処理を、後述するユーザ選択属性情報に対して優先することで、ユーザにとって現在有用なＰＯＩ情報を提供することができるとともに、本実施形態に係る情報提供装置の処理時間が短縮できる。
【０１１４】
すなわち、本実施形態では、ステップＳ１６０６〜Ｓ１６０９において現在ユーザによって設定されているユーザ指定属性情報に基づいてＰＯＩ情報の有用性を最初に判定し、ここで有用性があると判定された場合には、ステップＳ１６１４〜Ｓ１６１８で実行するユーザ選択属性情報に基づく有用性判定を行うことなく、そのＰＯＩ情報を提示するので、ユーザ選択属性情報に基づく有用性判定の結果が有用性なしであっても、現在のユーザ指定属性情報に基づく有用性判定が有用性ありである限り、そのＰＯＩ情報はユーザに提示される。逆に、ユーザ選択属性情報に基づく有用性判定の結果が有用性ありであっても、現在のユーザ指定属性情報に基づく有用性判定が有用性なしである限り、そのＰＯＩ情報はユーザに提示されない。
【０１１５】
ステップＳ１６０９にてＰＯＩ情報がディスプレイ８２に表示されたら、ステップＳ１６１０ではユーザによる情報の必要性の入力を待つ。図１４の表示画面における「この情報は必要」という入力メニューがＯＮされるか否かによって情報の必要性を判断する。
【０１１６】
ステップＳ１６１０にて、ユーザがこの情報は必要である旨の入力がなかった場合には処理を終了するが、必要である旨の入力があった場合にはステップＳ１６１１へ進み、その属性が過去に選択された属性であるか否かを判断する。そして、過去に選択された属性である場合は、ステップＳ１６１２に進み、選択属性情報蓄積部４７に記憶されている属性の選択回数をカウントアップする。図１３に示す例でいえば、ＰＯＩ情報としてラーメン店という属性情報が提示されている場合、ユーザがこのＰＯＩ情報を必要であると入力した場合には、ジャンル属性のラーメンの属性情報を１５回から１６回に更新する。
【０１１７】
一方、ステップＳ１６１１にて過去に選択された属性でない場合には、ステップＳ１６１３に進み、選択属性情報蓄積部４７にその属性を新たに追加する。
【０１１８】
ステップＳ１６０８に戻り、ＰＯＩ情報取得手段３の指定属性情報抽出部３２で抽出したＰＯＩ情報の属性情報が、現在ユーザにより設定されているユーザ指定属性情報を含んでいない場合は、ステップＳ１６１４へ進み、有用履歴抽出部４８で抽出される有用選択属性情報との対比を実行する。
【０１１９】
ステップＳ１６１５〜Ｓ１６１６は、有用履歴抽出部４８にて実行される処理である。有用履歴抽出部４８は、選択属性情報蓄積部４７に記憶されたユーザ選択属性情報の中に、所定期間内に所定回数以上選択された属性があるかどうかを判断し、この条件を満たす属性情報を抽出する。ここで抽出された属性情報は、選択属性情報蓄積部４７に記憶されたユーザ選択属性情報の中でも特にユーザが最近特に関心をもっている属性であるとみなすことができるので、これを有用選択属性情報とし、ＰＯＩ情報の有用性の判定に用いる。
【０１２０】
ステップＳ１６１７では、ステップＳ１６１６で抽出された有用選択属性情報をユーザの属性情報とし、ＰＯＩ情報取得手段３の属性情報抽出部３２で抽出したＰＯＩ情報の属性情報が、このユーザの属性情報と一致又は含んでいるかどうかを判定する。そして、ＰＯＩ情報の属性情報がユーザの属性情報を含んでいる場合にはステップＳ１６１８へ進み、そのＰＯＩ情報を出力制御手段７のＰＯＩ情報編集部７２１を介してディスプレイ８２に表示したのち処理を終了する。なお、ＰＯＩ情報の属性情報がユーザの属性情報を含んでいない場合には、そのＰＯＩ情報を提示することなく処理を終了する。
【０１２１】
以上、本実施形態の情報提供装置及び情報提供方法によれば、ユーザ指定属性情報又はユーザ選択属性情報に基づいてＰＯＩ情報の有用性を判定し、有用性がある場合のみディスプレイなどに出力する。したがって、ユーザにとって必要とされるＰＯＩ情報のみが自動的に配信され、利便性が向上する。
【０１２２】
また、ユーザ指定属性情報による有用性判定をユーザ選択属性情報による有用性判定に対して優先して実行するので、ユーザにとって現在有用なＰＯＩ情報を選別して提供することができる。
【０１２３】
また、ユーザ選択属性情報により有用性を判定するに際し、有用選択属性情報を用いるので、数度しか行ったことがない場所や遠い昔に行った場所など、現在のユーザにとってさほど有用でない場所を除外することができる。
【０１２４】
なお、図１６に示す処理の実施形態において、ステップＳ１６１０〜Ｓ１６１８を省略し、ユーザ指定属性情報のみによってＰＯＩ情報の有用性を判定することもできる。また逆に、ステップＳ１６０６〜Ｓ１６０９を省略し、ユーザ選択属性情報のみによってＰＯＩ情報の有用性を判定することもできる。
【０１２５】
さらに、ユーザ選択属性情報に基づいてＰＯＩ情報の有用性を判定する際に、有用選択属性情報に代えて全てのユーザ選択属性情報を用いてＰＯＩ情報の有用性を判定することもできる。また、有用選択属性情報が複数存在する場合は、たとえば最も選択回数が多いものに絞り込むこともできる。
【０１２６】
また、有用性があると判定された複数のＰＯＩ情報を、有用性が高い順に序列化し、ディスプレイ８２に表示したり、ＰＯＩ情報記憶部６に格納したりすることもできる。
【図面の簡単な説明】
【０１２７】
【図１】本発明の第１実施形態に係る情報提供装置を示すブロック図である。
【図２】本発明の第１実施形態に係る履歴位置情報蓄積部に記憶されるデータ構造を示す図である。
【図３】本発明の第１実施形態に係る履歴位置情報蓄積部による履歴位置の蓄積処理を示すフローチャートである。
【図４】本発明の第１実施形態に係る有用履歴抽出部による有用履歴位置情報の抽出処理を示すフローチャートである。
【図５】本発明の第１実施形態に係る情報提供装置により提供される画面の一例を示す図である。
【図６】本発明の第１実施形態に係る情報提供装置により提供される画面の他の例を示す図である。
【図７】本発明の第１実施形態に係るＰＯＩ情報記憶手段に記憶されている店舗情報のデータ構造例を示す図である。
【図８】本発明の第１実施形態に係る情報提供装置の情報処理手順を示すフローチャートである。
【図９】本発明の実施形態に係るデジタル放送の配信情報に含まれるＰＯＩ情報の一例を示すデータ構造図である。
【図１０】本発明の第２実施形態に係る情報提供装置を示すブロック図である。
【図１１】本発明の第２実施形態に係るユーザ指定属性情報の入力画面の一例を示す図である。
【図１２】本発明の第２実施形態における属性情報の内容の一例を示す図である。
【図１３】本発明の第２実施形態に係る選択属性情報蓄積部のデータ構造を示す図である。
【図１４】本発明の第２実施形態に係る情報提供装置により提供される画面の一例を示す図である。
【図１５】本発明の第２実施形態に係るＰＯＩ情報記憶手段に記憶されている店舗情報の例を示す図である。
【図１６】本発明の第２実施形態に係る情報提供装置の情報処理手順を示すフローチャートである。
【符号の説明】
【０１２８】
１…デジタル放送受信手段
２…デジタル放送デコード手段
３…ＰＯＩ情報取得手段
４…ユーザ情報取得手段
５…判定手段
６…ＰＯＩ情報記憶手段
７…出力制御手段
８…出力手段
９…入力手段  
【図１】
2009133662.tif 000003
【図２】
2009133662.tif 000004
【図３】
2009133662.tif 000005
【図４】
2009133662.tif 000006
【図５】
2009133662.tif 000007
【図６】
2009133662.tif 000008
【図７】
2009133662.tif 000009
【図８】
2009133662.tif 000010
【図９】
2009133662.tif 000011
【図１０】
2009133662.tif 000012
【図１１】
2009133662.tif 000013
【図１２】
2009133662.tif 000014
【図１３】
2009133662.tif 000015
【図１４】
2009133662.tif 000016
【図１５】
2009133662.tif 000017
【図１６】
2009133662.tif 000018